(57)【要約】【課題】本発明は、上記の課題を解決するためになされたもので、キャビネット式便器において、尿が便器の袴部と床面の間に染み込み、悪臭・床の変色を引き起こすことなく、施工面においても壁裏に強固な補強を必要とせず、簡易施工を実現することができる、床置型キャビネット式便器を提供することを目的とする。【解決手段】便器の後方にキャビネットが設置され、そのキャビネットの内部に給水装置を備えるキャビネット式便器において、前記便器の床への設置部分となる土台部の周縁の一部が、キャビネット前面が床と接する線上に沿って構成されることを特徴とするキャビネット式便器。【選択図】　図１
2004116249.tif 000002
【特許請求の範囲】
【請求項１】
便器の後方にキャビネットが設置され、そのキャビネットの内部に給水装置を備えるキャビネット式便器において、前記便器の床への設置部分となる土台部の周縁の一部が、キャビネット前面が床と接する線上に沿って構成されることを特徴とするキャビネット式便器。
【請求項２】
前記土台部には、壁と固定するための取付部が形成されていることを特徴とする請求項１記載のキャビネット式便器。
【請求項３】
前記土台部の側面は、キャビネット前面と面一で立ち上がっていることを特徴とする請求項１記載のキャビネット式便器。
【請求項４】
前記便器には、キャビネット前面と面一の幕板が側方に張出していることを特徴とする請求項１記載のキャビネット式便器。
【請求項５】
前記土台部上方には、便器に給水される給水装置を取り付ける台座部を有することを特徴とする請求項１記載のキャビネット式便器。
【発明の詳細な説明】
【０００１】
【発明の属する技術分野】
本発明は、便器の後方にキャビネットが設置され、そのキャビネットの内部に給水装置を備えたキャビネット式便器に係り、特にその清掃性・清潔性の向上および施工手間を減らすことが出来るようにした洋風便器に関する。
【０００２】
【従来の技術】
図７、図８は、従来のキャビネット式便器の断面図である。
図７に示す従来のキャビネット式便器２９は、便器本体３０と、該便器本体３０と設備側排水管３６とを接続する排水接続管３１と、便器本体３０の台座部５３によって該便器本体３０と密結されたロータンク３２と、該ロータンク３２の前面に配置された前板３３と、該前板３３とロータンク３２の上方に配置された天板３４と、便器本体３０の上方に設置された便座３５とで構成されている。
【０００３】
上記前板３３と天板３４とで構成する部分を通常キャビネットと称しており、このように後部にキャビネットを備えた便器をキャビネット式便器という。また、便器本体３０は、床３８に設置・固定されており、このように便器が床に設置・固定されているようなキャビネット式便器を床置型キャビネット式便器という。（例えば、特許文献１参照）
【０００４】
図８に示す従来のキャビネット式便器４０は、便器本体４１と、該便器本体４１を支えるケーシングフレーム４８と、便器本体４１と設備側排水管４９とを接続する排水接続管４２と、ロータンク４４と、該ロータンク４４と便器本体４１を接続する洗浄管４３と、ロータンク４４の前面に配置された前板４５と、ロータンク４４の上方に配置された天板４６と、便器本体４１の上方に設置された便座４７とで構成されている。（例えば、特許文献２参照）
【０００５】
便器本体４１は、ケーシングフレーム４８に固定されており、床５２とは直接触しておらず、床５２との間に隙間を設けて設置されている。このように、便器のどの部分も直接床と接さずに、床との間に隙間を空けて、ケーシングフレームに取り付けられているようなキャビネット式便器を壁掛式キャビネット便器という。
【０００６】
図９に示す従来の床置き式便器６０では、化粧パネル６５の前方においては、袴部をなくし、便器が床と接さずに、床との間に隙間を空けて、便器の後端部下面に取付座５７を設け、床に取り付けられている。（特許文献３参照。）
【０００７】
【特許文献１】
実開平７−１５８８５号公報（第１図）
【特許文献２】
特開平７−２６８９３１号公報（第１図）
【特許文献３】
実開昭６２−１５４０７８号公報（第１図）
【０００８】
【発明が解決しようとする課題】
図７に示す従来の技術の床置型キャビネット式便器２９では、男性が小用を足すとき、飛び散った尿が床３８に落ちたとき、便器本体３０の袴部３７と床面３８との隙間に尿が染み込み、異臭・床の変色を引き起こす原因となっていた。
【０００９】
上記問題を解決するには袴部３７をなくし、便器が床と接さずに、床との間に隙間を空けて、ケーシングフレームに取り付けられている図８に示すような壁掛式キャビネット便器を提案する必要がある。しかしながら、壁掛型キャビネット式便器４０では、前述の問題は解決されるが、ケーシングフレーム４８を固定するための強固な壁裏補強５０を予め建築躯体の壁裏に設けておく必要がある。
【００１０】
通常、トイレルームの施工は、柱、床、壁、天井などの建築躯体部を工務店が行い、配管、大便器などの器具類の施工は、水道工事店が行うが、建築躯体部へ予め補強等を必要とする場合、事前の打合せや、責任区分等の調整が難しいという問題がある。
【００１１】
また、図９に示す従来の技術の便器６０では、便器を床に据え置いて設置したにもかかわらず、化粧パネル６５の前方しか目に触れないため、壁掛式の便器のような、外観を呈することができる。また、アングルを用いる必要なく、便器を直接床に取り付けられことから、ケーシングフレーム４８を固定するための強固な壁裏補強５０を予め建築躯対の壁裏に設けておく必要はないことを、特徴としている。
【００１２】
しかしながら、取付座５７より前方に、便器外周の全周に亘って、下端が床に至る化粧パネル６５を配設している。この構造によると、下面部前方において、便器床取付座と化粧パネルが別々に形成されており、施工時の床の不陸への対応の際など、取付座と化粧パネル双方での対応（研磨や隙間調整）が必要。また使用時の応力集中が化粧パネルに及ぶことが十分考えられ、使用時においての化粧パネルの割れ・欠けが懸念される。
【００１３】
そこで、本発明は、キャビネット式便器において、尿が便器袴と床面の間に染み込み、異臭・床の変色を引き起こすことなく、便器と床との間に空間を確保し、施工面においても壁裏に強固な補強を必要とせず、簡易施工を実現することができるキャビネット式便器を提供することを目的とする。
【００１４】
【課題を解決するための手段】
上記目的を達成するために請求項１に記載の発明は、便器の後方にキャビネットが設置され、そのキャビネットの内部に給水装置を備えるキャビネット式便器において、前記便器の床への設置部分となる土台部の周縁の一部が、キャビネット前面が床と接する線上に沿って構成されることを特徴とするキャビネット式便器とした。
【００１５】
本発明によれば、便器の後部に土台部を有しており、該土台部が該便器を床に設置する場合は、該土台部が便器設置土台となるとともに、土台部の周縁の一部がキャビネット前面が床と接する線上に沿って構成するため、キャビネット前面において、床面には、便器の張出し部分が無くなり、壁掛け式便器同様、空間が形成され、床面の清掃性が格段に向上する。
【００１６】
請求項２では、前記土台部には、壁と固定するための取付部が形成されていることを特徴とする。キャビネット式便器の床固定時において、床のみの固定ではなく、壁側および床・壁の補強材にも固定できるよう、固定の手段を設けた。このことにより、床の強度のみに依存する固定方法ではなく、壁側にも荷重を伝えられるようにすることが可能となり、建築の躯体に左右されることなく、取り付けが可能である。
【００１７】
また、前記便器本体を成形する際の焼成工程においては従来の壁掛便器同様該土台部の端面を下にして炉内に該便器本体を自立させて設置するための土台となるようでき、さらに、該土台部上方には前記便器本体と前記ロータンクとを密結するための台座部を有している。
【００１８】
請求項３では、前記土台部の側面は、キャビネット前面と面一で立ち上がっており、床と便器ボウルとの空間を、掃除がし易いように構成している。ここで、キャビネット前面と面一で立ち上がるとは、例えば、キャビネット前面が、下に向かって傾斜するような傾斜面を有するような前面を構成する場合は、土台部の側面もその傾斜に合わせ立ち上がるようにすることで、土台部の床とがキャビネットから突出することが無いように構成することを示す。
【００１９】
請求項４では、便器には、キャビネット前面と面一の幕板が側方に張出していることで、小便器の飛散しやすい便器周囲のキャビネト前面が、便器と同じ陶器面で構成されるため、キャビネットの腐食を防止し、清掃性を向上させることができる。幕板は、便器の床への固定部分となる土台部の一部分も兼ねることもできるため、床への安定的な固定にも有効である。また、幕板の形状は任意に設定可能であるので、デザイン性を考慮したキャビネット前面を構成することも可能となる。
【００２０】
請求項５では、土台部上方には、便器に給水される給水装置を取り付ける装着部を有しておりここでの給水装置とは貯水タンク及び水道直結式のフラッシュバルブを指している。また、施工面においても壁裏に強固な補強を必要とせず、簡易施工を実現することができ、さらに、ロータンクと密結して設置するための台座部を有しているので、洗浄管で該便器とロータンクとを接続する必要がなく、簡易施工で漏水の心配も少ない。
【００２１】
【発明の実施の形態】
本発明の実施の形態を図に基づき説明する。
図１は、本発明の実施例を表す断面図である。
参照符号１は、便器を床に設置しているキャビネット式便器である。キャビネット式便器１は便器本体２と、該便器本体２と設備側排水管８とを接続する排水接続管３と、便器本体２の台座部１３によって該便器本体２と密結されたロータンク４と、該ロータンク４の前面に配置された前板５（パネル）と、該前板５とロータンク４の上方に配置された天板６と、便器本体２の上方に設置された便座７と、便器本体２を固定する壁に固定された補強木９とで構成されている。
【００２２】
Ａ点は、便器の床への設置部分となる後述する土台部の周縁先端位置である。Ａ点は、キャビネット前面が床面と接する線上に略位置しており、キャビネット前面において、便器と床面との間の部分では、便器の突出部分がない状態となる。また、周縁先端位置Ａから土台部１４の側面は、略垂直に立ち上がり、便器と床面とに隙間ｈを形成している。図２のＣに示すように幕板２ａの下端床との接触部は、前記線上に位置している。即ち、幕板前面とキャビネット前面は、面一となっている。また、土台部側面は、Ａ点から斜めに立ちあがっても、垂直に立ち上がり、途中から斜めになりボール面につながって構成しても良い。本発明では、便器の床への取り付け面としての土台部の下端がキャビネット前面から突出しなければ構わない。
【００２３】
また、図８に示す従来の壁掛便器では、取り付けのための凹みと、取付のボルト・ナットが露出しているが、本発明の実施例においては、取付のためのボルト・ナットはキャビネット内に隠れ、取付のための窪みも、パネル前方には形成されない。このことによって、外観に凹凸もなく、清掃性にも優れ、美しい外観を備えることが可能である。
【００２４】
図１の便器と床面との空間は、土台部１４より立ち上がったボウル部の形状によって決定され、垂直に立ち上がる場合が、前板前面までを掃除する際の空間確保に対して効果的である。また、土台部の側面は、前板との段差が略無い面一となるので、前板（キャビネット）から便器が突出したような印象を与える効果もあり、床置き式便器でありながら、壁掛け式便器の特徴を具備させることができる。掃除道具が入り込む場合の必要空間（高さｈ）は、４０ｍｍを目安にしている。これは市販の家庭用モップ、および雑巾と手のひらの厚みから設定した数値である。なお、前板５は、便器周囲全体を取り囲むように配置されておらず、上記したように土台部の側面が壁（前板）を構成しているような構造となっている。
【００２５】
図２は、本発明の便器本体を示す図である。ａ図は、断面図、ｂ図は、上面図、ｃ図は正面および背面図である。便器本体２は、後部に土台部１４を有しており、該土台部１４の上部には台座部１３が形成され、該土台部１３内部にはロータンク４からの便器洗浄水を便器本体２内に供給するための洗浄水供給通路が形成されている。参照符号２ａは、便器後方に張出した幕板である。
【００２６】
また、土台部１４は、下方に便器本体２を床１０に固定するための下方固定部１７および補強木９に固定するための側方固定部１５，１６が形成されているとともに、両側のリム部５５，５５に切り欠部２１，２１が形成されている。この切り欠き部は、土台部中央にもあり、便器からの排水を便器の中心上にある、床下配管への接続も可能にしている。
【００２７】
土台部１４は、便器本体２と前板５とが接する部分よりも後方に形成されており、便器本体２を床１０に設置・固定するための土台を形成している。この土台部１４により、便器本体２を床１０に設置することで、便器本体２の重量を支えることができることから、図８に示す従来の壁掛型キャビネット式便器４０のように、便器本体４１をケーシングフレーム４８で支える必要がなく、よって、ケーシングフレーム４８を固定するための強固な壁裏補強５０を予め建築躯体の壁裏に設けておく必要もない。
【００２８】
また、便器本体２の土台部１４の端面（壁（補強板）取り付け面）は、上部に形成された台座部１３と、下方固定部１７および側方固定部１５，１６と、両側のリム部５５，５５とによって形成され、該端面を下（つまり床側）にして便器本体２を床に置いて自立できる形状になっている。
【００２９】
便器本体２を形成する際の焼成工程においても、土台部１４の端面を下にして焼成することができる事から、従来の焼成工程と同じようにして焼成することができる。
【００３０】
なお、便器本体２の土台部１４は、ロータンク４を便器本体２に密結するための台座部１３を有し、便器本体２を成形する際、該便器本体２を土台部１４の端面５５を下にして炉内に自立させて設置でき、且つ、便器本体２を便器の使用状態において、キャビネット内にて床に取り付けられる強固な台座を有すればよく、図に示す形状に限定するものではない。便器本体に台座部を構成したことにより、図８の従来便器においては、図７に示す床置き型キャビネット式便器２９のようにロータンク３２を密結して設置するための台座部５３を便器本体４１に構成できず、洗浄管４３を用いて便器本体４１とロータンク４４を接続している。これは、構成部材が増え、高コストとなるだけではなく、接続個所が増えるので、漏水の可能性がある部分を増やしていることになり、さらに施工手順も複雑になるという問題を回避する構造となっている。
【００３１】
図１に示す前板５は、壁１１から１５０〜２６０ｍｍの位置に設置されているが、この寸法が小さいほど、便器本体２の先端１２の壁１１からの前出寸法を小さくすることができ、省スペースなトイレルームを実現しやすい。
【００３２】
図３は、本発明の便器の補強木の取り付け状態を示す図である。
補強木９は、壁１１の前面側に、壁裏に施工されている間柱２２等にねじ等で固定されている。
【００３３】
本発明の便器であれば、土台部１４によって、便器本体２を床１０に設置・固定できるが、更に強固に便器本体を設置するために、補強木９を用いた場合であっても、図８に示すような従来の壁掛型キャビネット式便器のように、ケーシングフレーム４８を固定するための強固な壁裏補強５０を予め建築躯体の壁裏に設けておく必要がない。
【００３４】
また、同時に土台部１４の上部に形成された台座部１３を備えている。台座部にはロータンクに限らず、フラッシュバルブからの洗浄管を接続するための、スパッドをも取り付けられる仕様となっている。
【００３５】
便器本体２は、直接床に固定してもよいし、補強木９へも固定してもよい。また、便器本体２を補強木９等に固定する方法は、ねじ・ボルト等にて直接固定してもよい。
【００３６】
図４および図５は、便器本体と設備排水管との接続状態を示す図である。
便器本体２は、図２に示すように該便器本体２の土台部１４のリム部５５に切り欠部２１が設けられている。
【００３７】
図５では、設備側排水管を便器の後方の壁面に取り付ける場合、左側面の壁面に取り付ける場合、右側面の壁に取り付ける場合の３タイプの排水管の位置関係を同図に示している。
【００３８】
参照符号２７は、後ろ側の壁に設けられた設備側排水管である。この場合の便器本体２と設備側排水管２７との接続は、排水接続管２４を用いて接続することとなる。
【００３９】
参照符号２６は、左側面の壁に設けられた設備側排水管である。この場合の便器本体２と設備側排水管２６との接続は、排水接続管２３を用いて接続することとなる。この場合、排水接続管２３は、便器本体２の土台部１４のリム部５５に設けられた切欠き部２１を通して設備側排水管２６と接続することができる。
【００４０】
同様に、右側面の壁に設備側排水管２８が設けられている場合であっても、排水接続管２５は、便器本体２の土台部１４のリム部５５に設けられた切欠き部２１を通して設備側排水管２８と接続することができる。また、便器センターの床下への排水においても、便器本体２の土台部１４の中央部に切り欠きを備えているため、対応可能である。
【００４１】
上記実施例では、キャビネットの前面が床面から垂直立ち上がる場合を、説明したが、例えば、図６に示すように、便器の取り付け部上端から下に向かって傾斜するような傾斜面を有するようにしても良く、また、上に向かって傾斜したり、若干湾曲するような形状でも構わない。破線のようにキャビネットの前面の全体が傾斜していても良い。
【図面の簡単な説明】
【図１】図１は、本発明の実施例を表す断面図である。
【図２】図２は、本発明の便器本体を示す図である。
【図３】図３は、本発明の床置型洋風便器の補強木の取り付け状態を示す図である。
【図４】図４は、便器本体と設備側排水管との接続状態を示す図である。
【図５】図５は、便器本体と設備側排水管との接続状態を示す図である。
【図６】図６は、キャビネットの他の形態を示す図である。
【図７】図７は、従来のキャビネット式便器の断面図である。
【図８】図８は、従来のキャビネット式便器の断面図である。
【図９】図９は、従来の便器の断面図である。
【符号の説明】
１…キャビネット式便器、２…便器本体、２ａ…幕板、３…排水接続管、４…ロータンク、５…前板、６…天板、７…便座、８…設備側排水管、９…補強木、１０…床、１１…壁、１３…台座部、１４…土台部、２２…間柱、４３…洗浄管、４８…ケーシングフレーム、５０…壁裏補強、Ａ…土台部の周縁先端位置
【図１】
2004116249.tif 000003
【図２】
2004116249.tif 000004
【図３】
2004116249.tif 000005
【図４】
2004116249.tif 000006
【図５】
2004116249.tif 000007
【図６】
2004116249.tif 000008
【図７】
2004116249.tif 000009
【図８】
2004116249.tif 000010
【図９】
2004116249.tif 000011